(57)【要約】【課題】使用者が低血糖症状を生じたタイミングを容易に記録できる生体情報検出装置、生体情報測定システム及び低血糖症状発生タイミング記憶方法を提供すること。【解決手段】生体情報検出装置は、使用者の生体情報を検出する生体情報検出部と、生体情報を記憶する記憶部と、現在日時を計時する計時部２７４と、入力操作を受け付ける入力部と、入力部に対して所定の入力操作が実行されると、計時部２７４によって計時されている時刻を低血糖症状が発生したタイミングとして記憶部に記憶させる記憶制御部２７８と、を備える。【選択図】図３
2016214733.tif 000002
【特許請求の範囲】
【請求項１】
使用者の生体情報を検出する生体情報検出部と、
前記生体情報を記憶する記憶部と、
現在日時を計時する計時部と、
入力操作を受け付ける入力部と、
前記入力部に対して所定の入力操作が実行されると、前記計時部によって計時されている時刻を低血糖症状が発生したタイミングとして前記記憶部に記憶させる記憶制御部と、を備えることを特徴とする生体情報検出装置。
【請求項２】
請求項１に記載の生体情報検出装置において、
前記所定の入力操作は、それぞれ異なる第１操作及び第２操作を組み合わせた操作であることを特徴とする生体情報検出装置。
【請求項３】
請求項２に記載の生体情報検出装置において、
前記入力部は、
使用者のタップ操作を検出するタップ操作検出部と、
外面に露出するボタンを有する操作部と、を備え、
前記第１操作は、前記タップ操作であり、
前記第２操作は、前記ボタンの入力操作であることを特徴とする生体情報検出装置。
【請求項４】
請求項２又は請求項３に記載の生体情報検出装置において、
表示部と、
前記第１操作が実行されると、前記低血糖症状が発生した時刻を記録させる発生タイミング記録画面に遷移する設定画面を表示させる表示制御部と、を有し、
前記記憶制御部は、前記設定画面が表示されている間に、前記第２操作が実行されると、前記計時部によって計時されている時刻を前記タイミングとして前記記憶部に記憶させることを特徴とする生体情報検出装置。
【請求項５】
請求項４に記載の生体情報検出装置において、
前記表示制御部は、前記第１操作が実行されると、複数の項目のうち、前記発生タイミング記録画面に遷移する項目が他の項目に比べて上位に設定された設定画面を表示させることを特徴とする生体情報検出装置。
【請求項６】
請求項１から請求項５のいずれか１項に記載の生体情報検出装置において、
前記使用者の体動情報を検出する体動情報検出部を有し、
前記記憶制御部は、前記生体情報及び前記体動情報のそれぞれを前記記憶部に記憶させることを特徴とする生体情報検出装置。
【請求項７】
請求項１から請求項６のいずれか１項に記載の生体情報検出装置と、
前記生体情報検出装置と通信する情報処理装置と、を備え、
前記生体情報検出装置は、前記タイミングとして前記記憶部に記憶されている時刻を示す時刻情報を少なくとも送信する時刻情報送信部を有し、
前記情報処理装置は、
前記生体情報検出装置から送信された情報を取得する情報取得部と、
前記使用者の食事、運動及び投薬の少なくともいずれかの行動の実行時刻を入力可能な入力画面を表示する処理装置側表示部と、
前記情報取得部によって取得された前記時刻情報により示される時刻と、入力された前記実行時刻と、を記憶する時刻記憶部と、を有することを特徴とする生体情報測定システム。
【請求項８】
請求項７に記載の生体情報測定システムにおいて、
所定時間帯における時刻が時系列で並んだタイムテーブルと、それぞれ前記タイムテーブルにおいて前記時刻情報により示される時刻に応じて配置される低血糖発生時マーカー、及び、前記実行時刻に応じて配置される行動実行時マーカーとを含むタイミング表示画面を生成するタイミング表示画面生成部を有し、
前記処理装置側表示部は、前記タイミング表示画面を表示することを特徴とする生体情報測定システム。
【請求項９】
請求項７又は請求項８に記載の生体情報測定システムにおいて、
前記時刻情報には、前記タイミングが属する日付が含まれ、
前記情報処理装置は、所定期間における日付が時系列で並んだカレンダーと、前記カレンダーにおいて少なくとも前記時刻情報に含まれる日付に応じて配置される低血糖発生日マーカーと、を含むカレンダー表示画面を生成するカレンダー表示画面生成部を有し、
前記処理装置側表示部は、前記カレンダー表示画面を表示することを特徴とする生体情報測定システム。
【請求項１０】
生体情報を測定する生体情報検出装置により行われるタイミング記憶方法であって、
所定の入力操作が実行されると、現在時刻を低血糖症状が発生したタイミングとして記憶することを特徴とする低血糖症状発生タイミング記憶方法。
【発明の詳細な説明】
【技術分野】
【０００１】
本発明は、生体情報検出装置、生体情報測定システム及び低血糖症状発生タイミング記憶方法に関する。
【背景技術】
【０００２】
従来、糖尿病患者の血糖値を測定する自己血糖測定ユニットが知られている（例えば、特許文献１参照）。
この特許文献１に記載の自己血糖測定ユニットは、採取された血液の血糖値を測定する検出手段と、この検出手段により測定された測定値をデジタル化し、記憶する記憶手段と、デジタル化された測定値を情報端末に転送する手段と、情報端末に転送されたデジタル化された測定値を血糖値管理装置に転送する手段と、を備えている。これにより、デジタル化された血糖値の測定値（測定データ）を容易に記録及び管理できる。
【先行技術文献】
【特許文献】
【０００３】
【特許文献１】特開２００３−３０２４０６号公報
【発明の概要】
【発明が解決しようとする課題】
【０００４】
ところで、使用者に低血糖症状が生じた場合、記録されていた血糖値等の生体情報を解析することにより、低血糖症状が生じた原因を究明することが求められている。
しかしながら、特許文献１に記載の自己血糖測定ユニットでは、採取された血糖値の測定データを記録及び管理できるものの、必ずしも低血糖を起こした時に自己血糖測定ユニットを携帯しているとは限らず、使用者自身が低血糖症状を感じたタイミングを当該測定データから把握することが難しいという問題がある。このような場合に、低血糖症状が生じたタイミングを上記測定データから抽出しづらいという問題がある。
【０００５】
本発明は、上述の課題の少なくとも一部を解決することを目的としたものであり、使用者が低血糖症状を生じたタイミングを容易に記録できる生体情報検出装置、生体情報測定システム及び低血糖症状発生タイミング記憶方法を提供することを目的の１つとする。
【課題を解決するための手段】
【０００６】
本発明の第１態様に係る生体情報検出装置は、使用者の生体情報を検出する生体情報検出部と、前記生体情報を記憶する記憶部と、現在日時を計時する計時部と、入力操作を受け付ける入力部と、前記入力部に対して所定の入力操作が実行されると、前記計時部によって計時されている時刻を低血糖症状が発生したタイミングとして前記記憶部に記憶させる記憶制御部と、を備えることを特徴とする。
【０００７】
上記第１態様によれば、使用者により所定の入力操作が実行された際に、計時部によって計時されている時刻を低血糖症状が発生したタイミングとして記憶部に記憶できるので、使用者は、上記所定の操作を実行するだけで、低血糖症状が発生したタイミングを記録できる。従って、当該記録された時刻、及び、当該時刻の生体情報等に基づいて、低血糖症状が発生した原因を究明しやすくすることができる。
【０００８】
上記第１態様では、前記所定の入力操作は、それぞれ異なる第１操作及び第２操作を組み合わせた操作であることが好ましい。
上記第１態様によれば、使用者によりそれぞれ異なる第１操作及び第２操作を組み合わせた操作が実行されなければ、上記時刻が記録されないので、上記時刻を低血糖症状が発生したタイミングとして誤って記録することを抑制できる。
【０００９】
上記第１態様では、前記入力部は、使用者のタップ操作を検出するタップ操作検出部と、外面に露出するボタンを有する操作部と、を備え、前記第１操作は、前記タップ操作であり、前記第２操作は、前記ボタンの入力操作であることが好ましい。
上記第１態様によれば、使用者によりタップ操作及びボタンの入力操作が実行された際に、上記時刻を低血糖症状が発生したタイミングとして記録するので、誤って上記時刻が記録されることを確実に抑制できる。
【００１０】
上記第１態様では、表示部と、前記第１操作が実行されると、前記低血糖症状が発生した時刻を記録させる発生タイミング記録画面に遷移する設定画面を表示させる表示制御部と、を有し、前記記憶制御部は、前記設定画面が表示されている間に、前記第２操作が実行されると、前記計時部によって計時されている時刻を前記タイミングとして前記記憶部に記憶させることが好ましい。
上記第１態様によれば、第１操作が実行された際に上記時刻を記録させる記憶させる発生タイミング記録画面に遷移する設定画面が表示されるので、当該設定画面の表示時に、第２操作を実行することで上記時刻を記憶できることを使用者に容易に認識させることができる。従って、記録操作を行いやすくできる。
【００１１】
上記第１態様では、前記表示制御部は、前記第１操作が実行されると、複数の項目のうち、前記発生タイミング記録画面に遷移する項目が他の項目に比べて上位に設定された設定画面を表示させることが好ましい。
上記第１態様によれば、設定画面の表示時に複数の項目のうち、発生タイミング記録画面に遷移する項目が他の項目に比べて上位に設定されているので、使用者は、当該設定画面が表示された状態で第２操作を実行すれば、上記時刻を記憶できる。従って、上記時刻を記録する操作を迅速に実行できる。
【００１２】
上記第１態様では、前記使用者の体動情報を検出する体動情報検出部を有し、前記記憶制御部は、前記生体情報及び前記体動情報のそれぞれを前記記憶部に記憶させることが好ましい。
上記第１態様によれば、生体情報検出部により検出される生体情報だけでなく、体動情報検出部により検出される体動情報に基づいて、低血糖症状が発生した原因を究明しやすくすることができる。
【００１３】
本発明の第２態様に係る生体情報測定システムは、上述した生体情報検出装置と、前記生体情報検出装置と通信する情報処理装置と、を備え、前記生体情報検出装置は、前記タイミングとして前記記憶部に記憶されている時刻を示す時刻情報を少なくとも送信する時刻情報送信部を有し、前記情報処理装置は、前記生体情報検出装置から送信された情報を取得する情報取得部と、前記使用者の食事、運動及び投薬の少なくともいずれかの行動の実行時刻を入力可能な入力画面を表示する処理装置側表示部と、前記情報取得部によって取得された前記時刻情報により示される時刻と、入力された前記実行時刻と、を記憶する時刻記憶部と、を有することを特徴とする。
【００１４】
上記第２態様によれば、上記第１態様に係る生体情報検出装置と同様の効果を奏することができる。また、情報処理装置が、上記時刻を示す時刻情報と、使用者により入力された使用者の食事、運動及び投薬の少なくともいずれかの実行時刻と、を記憶するので、当該記憶された低血糖症状が発生した時刻と、食事、運動、及び投薬の少なくともいずれかの実行時刻と、に基づいて、より詳細に低血糖症状が生じた原因を究明しやすくすることができる。
【００１５】
上記第２態様では、所定時間帯における時刻が時系列で並んだタイムテーブルと、それぞれ前記タイムテーブルにおいて前記時刻情報により示される時刻に応じて配置される低血糖発生時マーカー、及び、前記実行時刻に応じて配置される行動実行時マーカーとを含むタイミング表示画面を生成するタイミング表示画面生成部を有し、前記処理装置側表示部は、前記タイミング表示画面を表示することが好ましい。
上記第２態様によれば、所定時間帯における時刻が時系列で並んだタイムテーブルにおいて、低血糖発生時マーカー及び行動時マーカーが配置されたタイミング表示画面が表示されるので、低血糖症状が発生した時刻、食事の実行時刻、運動の実行時刻及び投薬の実行時刻を使用者により把握させやすくすることができる。従って、食事、運動及び投薬のタイミングと低血糖が生じたタイミングとの関連性を確認しやすくすることができる。
【００１６】
上記第２態様では、前記時刻情報には、前記タイミングが属する日付が含まれ、前記情報処理装置は、所定期間における日付が時系列で並んだカレンダーと、前記カレンダーにおいて少なくとも前記時刻情報に含まれる日付に応じて配置される低血糖発生日マーカーと、を含むカレンダー表示画面を生成するカレンダー表示画面生成部を有し、前記処理装置側表示部は、前記カレンダー表示画面を表示することが好ましい。
上記第２態様では、所定期間における日付が時系列で並んだカレンダーにおいて、少なくとも時刻情報に含まれる日付に応じて低血糖発生日マーカーが配置されたカレンダー表示画面が表示されるので、低血糖症状が発生した日を使用者に容易に認識させることができる。
【００１７】
本発明の第３態様に係る低血糖症状発生タイミング記憶方法は、生体情報を測定する生体情報検出装置により行われるタイミング記憶方法であって、所定の入力操作が実行されると、現在時刻を低血糖症状が発生したタイミングとして記憶することを特徴とする。
上記第３態様によれば、上記第１態様の生体情報検出装置、第２態様の生体情報測定システムと同様の効果を奏することができる。また、所定の入力操作を実行するだけで、現在時刻を低血糖症状が発生したタイミングとして記録できる。これにより、使用者は、例えば、メモを取るなどの面倒な行為を行うことなく、低血糖症状が発生したタイミングを記憶できる。
【図面の簡単な説明】
【００１８】
【図１】本発明の一実施形態に係る生体情報測定システムを示す模式図。
【図２】上記実施形態における生体情報検出装置の構成を示すブロック図。
【図３】上記実施形態における生体情報検出装置の制御部の構成を示すブロック図。
【図４】上記実施形態における表示部の画面遷移を示す模式図。
【図５】上記実施形態における低血糖症状のタイミングを記憶する発生タイミング記憶処理を示すフローチャート。
【図６】上記実施形態における情報処理装置の構成を示すブロック図。
【図７】上記実施形態における情報処理装置の制御部の構成を示すブロック図。
【図８】上記実施形態における食事内容登録画面の一例を示す図。
【図９】上記実施形態における投薬内容登録画面の一例を示す図。
【図１０】上記実施形態における運動結果提示画面の一例を示す図。
【図１１】上記実施形態におけるタイミング表示画面の一例を示す図。
【図１２】上記実施形態における総括画面の一例を示す図。
【発明を実施するための形態】
【００１９】
以下、本発明の一実施形態を、図面に基づいて説明する。
［生体情報測定システムの概略構成］
図１は、本実施形態に係る生体情報測定システム１を示す模式図である。
本実施形態に係る生体情報測定システム１は、図１に示すように、生体情報検出装置（以下、検出装置という場合がある）２と、情報処理装置３と、を備える。
この生体情報測定システム１では、検出装置２は、生体情報及び体動情報を測定する他、所定の操作が実行されると、低血糖症状が発生したタイミングである低血糖発生日時として現在日時を記憶する。そして、検出装置２は、測定された生体情報及び体動情報の他、上記低血糖発生日時を示す日時情報を情報処理装置３に送信する。
情報処理装置３は、上記検出装置２から受信された生体情報及び体動情報に基づいて、使用者の行動を解析する。また、情報処理装置３は、食事内容、及び、投薬内容を入力する入力画面を表示し、使用者の入力操作に応じて食事内容及び投薬内容を記憶する。更に、情報処理装置３は、使用者により選択された日付において、解析された使用者の行動のタイミング、食事及び投薬のタイミング、並びに、上記低血糖発生日時に基づく低血糖症状発生タイミングのそれぞれが所定のマーカーにより示されたタイムテーブルが含まれるタイミング表示画面や、低血糖症状が発生した日付が所定のマーカーによって示されたカレンダー表示画面（総括画面）を表示する。
以下、生体情報測定システム１の各構成について説明する。
【００２０】
［検出装置の構成］
図２は、生体情報検出装置２の構成を示すブロック図である。
検出装置２は、使用者に装着されて、上記生体情報及び体動情報を検出して記憶するウェアラブル機器である。この検出装置２は、タップ操作を含む所定の操作が実行された際に、現在日時を低血糖症状が発生したタイミングを示す低血糖発生日時として記憶する他、それぞれ記憶した生体情報、体動情報、及び、上記低血糖発生日時を示す日時情報を情報処理装置３に送信する。
このような検出装置２は、図２に示すように、操作部２１、検出部２２、受信部２３、報知部２４、通信部２５、記憶部２６及び制御部２７を有し、これら各部２１〜２７は、バスライン２８によって電気的に接続されている。
【００２１】
［操作部の構成］
操作部２１は、使用者による入力操作を受け付け、当該入力操作に応じた操作信号を制御部２７に出力する。このような操作部２１は、検出装置２の筐体の外面に露出するように設けられたボタン２１１，２１２（図１参照）の入力操作に応じた操作信号を制御部２７に出力する。なお、使用者の音声（使用者の声）を認識して、当該音声に応じた操作信号を制御部２７に出力する構成でもよい。
そして、詳しくは後述するが、使用者は、自身が低血糖状態にあると判断した場合に、操作部２１を操作して（上記所定の操作を実行して）、上記低血糖発生日時を記憶部２６に記憶させる。
なお、操作部２１がタップ操作検出部を有していてもよく、この場合には、当該タップ操作検出部が有する加速度センサーによって検出される加速度信号に基づいてタップ操作が検出され、当該タップ操作に応じた操作信号を制御部２７に出力する構成としてもよい。
【００２２】
［検出部の構成］
検出部２２は、使用者の生体情報及び体動情報をそれぞれ検出する生体情報検出部２２１、及び、体動情報検出部２２２を有する。
生体情報検出部２２１は、検出装置２を装着した使用者の生体情報を検出する。本実施形態では、生体情報検出部２２１は、各種センサーにより、生体情報としての脈波を検出する。なお、生体情報検出部２２１は、生体情報として心拍、血圧、体温、血糖値及び血中アルコール濃度等を検出する構成としてもよい。
体動情報検出部２２２は、上記操作部２１とともに本発明の入力部を構成するものであり、使用者の体動情報として、当該使用者の体動に応じて変化する加速度を検出する。また、体動情報検出部２２２は、上記加速度の変化に基づいて使用者のタップ操作を検出する。
【００２３】
［受信部の構成］
受信部２３は、検出装置２の現在位置を示す位置情報（すなわち、使用者の現在位置を示す位置情報）を取得する。例えば、受信部２３は、ＧＰＳ（Global Positioning System）等の衛星測位システムに対応し、衛星から受信される電波に基づいて上記現在位置を示す位置情報を取得する。そして、受信部２３は、取得された位置情報を、制御部２７に出力する。なお、このような構成に代えて、通信用無線電波を用いて位置情報を算出する構成とすることも可能である。なお、このような受信部２３はなくてもよい。
【００２４】
［報知部の構成］
報知部２４は、制御部２７による制御の下、各種情報を報知する。例えば、報知部２４は、検出装置２の動作状態や、検出された情報を報知する。
このような報知部２４は、表示部２４１、音声出力部２４２、及び振動部２４３を有する。
表示部２４１は、液晶等の情報表示機能を有し、上記各種情報を表示する。このような表示部２４１は、後述する制御部２７の制御の下、例えば、それぞれ後述する複数のメニュー画面及び発生タイミング記録画面等の複数の設定画面を表示する。
音声出力部２４２は、スピーカーを備えて構成され、制御部２７から入力される音声情報に応じた音声を出力する。
振動部２４３は、後述する制御部２７により駆動が制御されるモーターを有し、当該モーターの駆動によって生じる振動により、当該生体情報検出装置２の状態を通知する。
【００２５】
［通信部の構成］
通信部２５は、本発明の時刻情報送信部に相当し、ネットワークを介して上記情報処理装置３等の外部機器と通信可能な通信モジュールを有する。この通信部２５は、例えば、制御部２７の制御の下、検出部２２により検出されて記憶部２６に記憶された生体情報及び体動情報を送信する他、上記低血糖発生日時を示す日時情報を送信する。なお、本実施形態では、通信部２５は、ネットワークと接続される基地局や接続機器（例えばルーター）と無線で通信し、これにより、情報処理装置３と通信接続されるが、情報処理装置３と通信可能であれば、接続形式及び接続態様は問わない。
【００２６】
［記憶部の構成］
記憶部２６は、フラッシュメモリー等を有する記憶装置により構成され、検出装置２の動作に必要なプログラム及びデータを記憶している。
例えば、記憶部２６は、当該データとして、通信部２５を介して情報処理装置３と通信接続するための接続情報を予め記憶している。
また、記憶部２６は、上記所定の操作が実行された際に、低血糖症状が発生したタイミングとして現在時刻を記憶するタイミング記録プログラムを記憶している。
更に、記憶部２６は、制御部２７による制御の下、検出部２２により検出された生体情報及び体動情報と、受信部２３により取得された位置情報と、を記憶する他、上記低血糖発生日時を示す日時情報を記憶する。
【００２７】
［制御部の構成］
図３は、制御部２７の構成を示すブロック図である。
制御部２７は、ＣＰＵ（Central Processing Unit）等の処理回路により構成され、検出装置２の動作を自律的に、或いは、使用者の操作に応じて操作部２１から入力される操作信号に基づいて制御する。この制御部２７は、例えば、検出部２２により検出された生体情報及び体動情報を取得し、情報処理装置３に送信する。この他、制御部２７は、使用者の所定の入力操作に応じて入力される操作信号に応じて、上記低血糖発生日時として現在時刻を記録する。
このような制御部２７は、記憶部２６に記憶されたプログラムを上記処理回路が実行することにより実現される機能部として、図３に示すように、検出制御部２７１、報知制御部２７２、通信制御部２７３、計時部２７４、情報取得部２７５、運動判定部２７６、操作判定部２７７及び記憶制御部２７８を有する。
【００２８】
検出制御部２７１は、検出部２２の動作を制御し、当該検出部２２による検出結果を記憶部２６に記憶させる。この検出制御部２７１は、検出装置２が使用者に装着されて、検出部２２による生体情報及び体動情報の検出が可能な状態であれば、当該検出部２２に各情報を検出させ、検出部２２による各情報の検出を実行できない状態であれば、当該検出部２２の動作を停止させる。このため、記憶部２６には、検出装置２が使用者に装着されている場合には、検出された生体情報及び動作情報が記憶されることとなり、使用者に装着されていない場合には、これら情報は記憶されず、これにより、消費電力を抑制できる。
【００２９】
報知制御部２７２は、報知部２４の動作を制御する。例えば、報知制御部２７２は、報知部２４の表示部２４１の動作を制御して、検出部２２により検出された生体情報及び体動情報を表示させる。
また、報知制御部２７２は、本発明の表示制御部に相当し、後述する操作判定部２７７によりタップ操作が行われたと判定されるとメニュー画面のうち、発生タイミング記録画面に遷移する「低血糖」が表記されたメニュー画面を最初に表示させ、更に、上記ボタン２１１，２１２のうち、ボタン２１２が入力されたと判定されると、当該ボタン２１２の入力毎に、「ゾーン」が表記されたメニュー画面及び「セットアップ」が表記されたメニュー画面（図４参照）を順に表示させる。
【００３０】
通信制御部２７３は、通信部２５を制御し、記憶部２６に記憶された上記接続情報に基づいて、上記情報処理装置３と通信させる。
計時部２７４は、現在日時を計時する。
【００３１】
情報取得部２７５は、検出部２２により検出された生体情報及び体動情報、並びに、受信部２３により取得された位置情報を取得し、これらを記憶部２６に記憶させる。この際、情報取得部２７５は、計時部２７４により計時されている現在日時を参照して、生体情報、体動情報及び位置情報とともに、これら情報の検出日時及び取得日時を記憶させる。
運動判定部２７６は、情報取得部２７５により取得された使用者の生体情報及び体動情報を解析して、実施された使用者の運動の種別（運動の強度）を判定する。
ここで、使用者の運動の種別とは、予め被験者に対して運動用などで目標とする脈拍数の範囲（例えば、８０回／分〜１４０回／分）が複数のゾーンに区分（例えば、２０回／分ごとに区分）されたゾーン毎の脈拍数に対応して、予め設定されたものである。例えば、本実施形態では、運動判定部２７６は、脈拍数の範囲が８０回／分以上〜１００回／分未満の運動は、「弱い運動」として判定され、脈拍数の範囲が１００回／分以上〜１２０回／分未満の運動は、「適正ゾーンの運動」として判定され、脈拍数の範囲が１２０回／分以上１４０回／分未満の運動は、「強い運動」として判定される。このようにして、運動判定部２７６は、使用者が運動を実施した際に、いずれの種別の運動を実施したのかを判定し、運動の種別毎の一日の運動時間（運動の開始時刻及び終了時刻）を算出する。
【００３２】
操作判定部２７７は、使用者により実行された入力操作の種別を判定する。具体的に、操作判定部２７７は、使用者により検出装置２に対してタップ操作が実行されたか否か、及び、操作部２１のボタン２１１，２１２の入力操作が実行されたか否かを判定する。
例えば、操作判定部２７７は、体動情報検出部２２２により検出された加速度信号に、タップ操作に応じた加速度変化が含まれるか否かに基づいて、当該タップ操作が実行されたか否かを判定する。換言すると、操作判定部２７７は、体動情報検出部２２２からタップ操作が実行されたことを示す信号（加速度信号）が入力されたか否かを判定する。
また、操作判定部２７７は、操作部２１のボタン２１１，２１２の入力操作（押下）に応じて操作部２１から入力される操作信号に基づいて、ボタン２１１，２１２の入力操作が実行されたか否かを判定し、当該操作信号に含まれるボタンの種別に基づいて、ボタン２１１，２１２のどちらかが入力されたのかを判定する。
【００３３】
記憶制御部２７８は、後述する発生タイミング記録画面ＳＣ５が表示されている際に、ボタン２１１，２１２の入力操作に応じて、低血糖症状が生じたタイミングである低血糖発生日時として、計時部２７４によって計時されている現在日時を記録する。また、記憶制御部２７８は、生体情報検出部２２１及び体動情報検出部２２２により検出された生体情報及び体動情報を記憶部２６に記憶させる。
【００３４】
［表示部の画面遷移］
図４は、表示部２４１に表示される表示画面の遷移を示す図である。
報知制御部２７２は、使用者による入力操作が行われていない状態では、図４に示すように、通常画面ＳＣ１を表示部２４１に表示させる。この通常画面ＳＣ１には、検出装置２の電池残量、通信状態及び現在日時が表示される。
【００３５】
上記通常画面ＳＣ１の表示時に、操作判定部２７７によりタップ操作が１回実行されたと判定されると、報知制御部２７２は、表示部２４１のバックライト（図示省略）を点灯させる。
一方、上記通常画面ＳＣ１の表示時に、操作判定部２７７によりタップ操作が連続して２回実行されたと判定されると、報知制御部２７２は、複数の項目のうち、後述する発生タイミング記録画面ＳＣ５に遷移する項目である「低血糖」が表記されたメニュー画面ＳＣ２を表示部２４１に表示させる。なお、他の項目としては「ゾーン」及び「セットアップ」が設定されており、「低血糖」が表記されたメニュー画面ＳＣ２は、これら「ゾーン」及び「セットアップ」が表記されたメニュー画面ＳＣ３，ＳＣ４よりも上位に設定されている。このため、タップ操作が連続して２回実行されると、「低血糖」が表記されたメニュー画面ＳＣ２が最初に表示される。
【００３６】
このようなメニュー画面ＳＣ２の表示時に、上記操作判定部２７７によりボタン２１１が押下されたと判定されると、報知制御部２７２は、現在時刻を上記低血糖発生日時として記憶させるか否かを使用者に選択させる選択画面、すなわち、発生タイミング記録画面ＳＣ５を表示部２４１に表示させる。
この発生タイミング記録画面ＳＣ５には、「記録しますか？」に対する回答として「はい」の文字が表示される。この発生タイミング記録画面ＳＣ５の表示時に、ボタン２１２が押下されたと判定されると、報知制御部２７２は、「はい」の文字に代えて「いいえ」の文字が表示された取消画面ＳＣ６を表示部２４１に表示させる。この取消画面ＳＣ６の表示時に、ボタン２１２が押下されたと判定されると、報知制御部２７２は、表示部２４１に再度、発生タイミング記録画面ＳＣ５を表示させ、ボタン２１１が入力されると、報知制御部２７２は、上記通常画面ＳＣ１を表示させる。
一方、発生タイミング記録画面ＳＣ５の表示時に、ボタン２１１が押下されたと判定されると、記憶制御部２７８が、上記低血糖発生日時として現在時刻を記憶させる。この後、報知制御部２７２は、表示部２４１に通常画面ＳＣ１を表示させる。
このように、連続した２回のタップ操作が本発明の第１操作に相当し、ボタン２１１の入力操作が本発明の第２操作に相当する。すなわち、所定の操作とは、上記第１操作に相当する連続した２回のタップ操作と、上記第２操作に相当するボタン２１１の入力操作を組み合わせた操作である。
【００３７】
なお、上記メニュー画面ＳＣ２の表示時に、ボタン２１２が押下されたと判定されると、報知制御部２７２は、表示部２４１にメニュー画面ＳＣ３を表示させる。そして、メニュー画面ＳＣ３の表示時に、ボタン２１１が押下されたと判定されると、ゾーンを設定するゾーン設定画面（図示省略）に遷移する。
また、上記メニュー画面ＳＣ３の表示時に、ボタン２１２が押下されたと判定されると、報知制御部２７２は、表示部２４１にメニュー画面ＳＣ４を表示させる。そして、メニュー画面ＳＣ４の表示時にボタン２１１が押下されたと判定されると、使用者情報（例えば、身長、体重等）を入力するセットアップ画面（図示略）に遷移する。
一方、メニュー画面ＳＣ４の表示時に、ボタン２１２が押下されたと判定されると、報知制御部２７２は、表示部２４１に上記メニュー画面ＳＣ２を再度表示させる。
このように、使用者によりタップ操作が連続して２回実行されると、報知制御部２７２は、複数のメニュー画面のうち、「低血糖」が表記されたメニュー画面ＳＣ２を他のメニュー画面ＳＣ３，ＳＣ４より優先して表示部２４１に表示させる。
【００３８】
［タイミング記録処理］
図５は、生体情報検出装置２にて実行される低血糖症状の発生タイミングを記録するタイミング記録処理を示すフローチャートである。
上記のように、検出装置２は、使用者による入力操作に応じて、低血糖症状が発生したタイミングである低血糖発生日時を記憶し、当該低血糖発生日時を示す日時情報を情報処理装置３に送信するタイミング記録処理を実行する。一方、当該情報処理装置３は、受信された日時情報を、記憶部３５に記憶する。
このタイミング記録処理では、図５に示すように、検出装置２の操作判定部２７７が、体動情報検出部２２２から入力される加速度信号に基づいて、連続した２回の上記タップ操作が実行されたか否かを判定する（ステップＳ１１）。
このステップＳ１１の判定処理にて、当該２回のタップ操作は実行されていないと判定されると、制御部２７は、処理をステップＳ１１に戻す。
一方、ステップＳ１１の判定処理にて、当該２回のタップ操作が実行されたと判定されると、報知制御部２７２は、表示部２４１に「低血糖」の項目が表記されたメニュー画面ＳＣ２を表示させる（ステップＳ１２）。
【００３９】
そして、「低血糖」の項目が表記されたメニュー画面ＳＣ２から、発生タイミング記録画面ＳＣ５に表示部２４１の画面が遷移したか否かを判定する（ステップＳ１３）。すなわち、操作判定部２７７は、「低血糖」の項目が表記されたメニュー画面ＳＣ２が表示部２４１に表示された状態で、ボタン２１１が入力されたか否かを判定する。
このステップＳ１３の判定処理にて、発生タイミング記録画面ＳＣ５に表示部２４１の画面が遷移していないと判定されると、制御部２７は、処理を終了する。
一方、ステップＳ１３の判定処理にて、発生タイミング記録画面ＳＣ５に表示部２４１の画面が遷移したと判定されると、操作判定部２７７は、記憶操作がされたか否かを判定する（ステップＳ１４）。すなわち、操作判定部２７７は、発生タイミング記録画面ＳＣ５が表示部２４１に表示された状態で、ボタン２１１が入力されたか否かを判定する。
【００４０】
このステップＳ１４の判定処理にて記録操作がされていないと判定されると、操作判定部２７７は、取消操作がされたか否かを判定する（ステップＳ１５）。すなわち、操作判定部２７７は、発生タイミング記録画面ＳＣ５が表示部２４１に表示された状態で、ボタン２１２が入力され、取消画面ＳＣ６が表示部２４１に表示された状態で、更にボタン２１１が入力されたか否かを判定する。
このステップＳ１５の判定処理にて、取消操作がされていないと判定されると、制御部２７は、処理をステップＳ１３に戻す。
一方、ステップＳ１５の判定処理にて、取消操作がされたと判定されると、制御部２７は、処理を終了する。
【００４１】
一方、ステップＳ１４の判定処理にて記憶操作がされたと判定されると、記憶制御部２７８は、計時部２７４にて計時されている現在日時を取得する（ステップＳ１６）。そして、記憶制御部２７８は、取得した現在日時を低血糖症状が生じたタイミングである低血糖発生日時（日時情報）を記憶部２６に記録させる（ステップＳ１７）。
そして、通信制御部２７３は、所定のタイミング（例えば、２０分に１回）で記憶部２６に記憶された生体情報、体動情報、位置情報、及び日時情報を情報処理装置３に送信する（ステップＳ１８）。
これにより、タイミング記録処理は終了される。なお、当該各種情報を受信した情報処理装置３は、当該情報を記憶する。
【００４２】
［情報処理装置の構成］
図６は、情報処理装置３の構成を示すブロック図である。
情報処理装置３は、例えばスマートフォン（多機能携帯電話機）、タブレット及びＰＣ（Personal Computer）等により構成される。この情報処理装置３は、上記のように、検出装置２から取得される生体情報、体動情報、位置情報及び日時情報を記憶及び管理する他、これら情報を解析して、例えば、運動の開始及び終了時刻、並びに、運動時間を算出して記憶する。また、この情報処理装置３は、食事及び投薬に関する情報を登録する登録画面を表示して、使用者により入力された食事内容及び投薬内容を記録する。更に、情報処理装置３は、後述するタイミング表示画面を表示して、運動、食事及び投薬のタイミングや、低血糖が生じたタイミングを示す他、後述するカレンダー表示画面（総括画面）を表示して、低血糖が生じた日付を示す。
このような情報処理装置３は、図６に示すように、操作部３１、通信部３２、表示部３３、音声出力部３４、記憶部３５、及び制御部３６を備え、これらは互いにバスライン３７により接続されている。
【００４３】
［操作部の構成］
操作部３１は、使用者による入力操作を受け付け、当該入力操作に応じた操作情報を制御部３６に出力する。このような操作部３１は、例えば、情報処理装置３の筐体に設けられた物理キーやタッチパネル等により構成できる他、当該情報処理装置３に有線又は無線で接続されるキーボード及びポインティングデバイス等により構成できる。
【００４４】
［通信部の構成］
通信部３２は、検出装置２等の外部機器と通信可能な第１通信モジュールと、インターネット等のネットワーク上のサーバー（図示省略）と通信可能な第２通信モジュールとを有し、制御部３６による制御の下、当該外部機器及びサーバーと通信する。なお、当該外部機器及びサーバーのそれぞれと通信部３２とが同じ通信方式で通信可能である場合には、通信部３２は、第１通信モジュール及び第２通信モジュールのうち一方を備えていればよく、サーバーとの通信が不要であれば、第２通信モジュールはなくてもよい。
【００４５】
［表示部及び音声出力部の構成］
表示部３３は、本発明の処理装置側表示部に相当する。この表示部３３は、例えば、液晶、有機ＥＬ（Electro-Luminescence）及び電気泳動等の各種表示パネルにより構成でき、後述する提示情報生成部３６８により生成された画像を表示する。具体的に、表示部３３は、制御部３６により実行されるＯＳ（Operating System）及び各種アプリケーションの実行画面（例えば、後述する実行画面ＥＳ）を表示する。
音声出力部３４は、スピーカーを備えて構成され、制御部３６から入力される音声情報に応じた音声を出力する。例えば、音声出力部３４は、制御部３６が後述する情報管理アプリケーションを実行する場合には、使用者に提示する情報に応じた音声を出力する。
【００４６】
［記憶部の構成］
記憶部３５は、ＳＳＤ（Solid State Drive）、ＨＤＤ（Hard Disk Drive）及びフラッシュメモリー等の記憶装置により構成され、情報処理装置３の動作に必要なプログラム及びデータを記憶する。このようなプログラムとして、記憶部３５は、情報処理装置３を制御するＯＳの他、後述する情報管理アプリケーションを記憶している。
また、記憶部３５は、検出装置２から受信される各種情報の他、後述する各登録画面に対する入力内容を記憶する。
【００４７】
［制御部の構成］
図７は、制御部３６の構成を示すブロック図である。
制御部３６は、ＣＰＵ（Central Processing Unit）を備えて構成され、記憶部３５に記憶されたプログラムを実行することにより、情報処理装置３の動作を制御する。このような制御部３６は、ＯＳ実行部３６Ａ及びアプリケーション実行部３６Ｂと、を有する。
【００４８】
ＯＳ実行部３６Ａは、記憶部３５に記憶されたＯＳを実行する機能部であり、通信制御部３６１、表示制御部３６２、音声出力制御部３６３及び計時部３６４を有する。
通信制御部３６１は、通信部３２を制御して、上記外部機器やサーバーと通信する。
表示制御部３６２は、上記実行画面や、他のアプリケーション及びＯＳの実行画面（他の構成により生成された実行画面）を表示部３３に表示させる。
音声出力制御部３６３は、ＯＳやアプリケーションの実行時に出力させる音声の音声情報を上記音声出力部３４に出力する。
計時部３６４は、現在日時を計時する。
【００４９】
アプリケーション実行部３６Ｂは、記憶部３５に記憶されたアプリケーションのうち、操作部３１から入力される操作情報に応じてＯＳ実行部３６Ａにより指示されたアプリケーションを実行する。
このアプリケーション実行部３６Ｂは、記憶部３５に記憶された情報管理アプリケーションを実行することによってそれぞれ機能する情報取得部３６５、情報登録部３６６、解析部３６７及び提示情報生成部３６８を有する。
【００５０】
情報取得部３６５は、後述する情報管理アプリケーションの実行画面（食事内容及び投薬内容の登録画面）にて使用者により入力された情報を取得する。この他、情報取得部３６５は、通信部３２を介して上記検出装置２から各種情報（生体情報、体動情報、位置情報及び日時情報）を取得する。
情報登録部３６６は、情報取得部３６５により取得された情報を記憶部３５に記憶及び登録させる。
【００５１】
解析部３６７は、検出装置２から受信した生体情報、体動情報、位置情報及び日時情報を解析し、使用者の消費カロリー、歩数、運動時間（開始時刻及び終了時刻の推定）等の解析結果を生成する。また、解析部３６７は、上記生体情報、体動情報及び位置情報に基づいて、使用者の入眠時刻及び起床時刻を判定する他、使用者の睡眠時間等の解析結果を生成する。
提示情報生成部３６８は、本発明のタイミング表示画面生成部及びカレンダー表示画面生成部に相当し、情報管理アプリケーションの実行画面を生成する。例えば、提示情報生成部３６８は、解析部３６７による解析結果に基づいて、実行画面である運動結果提示画面を生成する。また、提示情報生成部３６８は、実行画面である食事記録及び投薬記録の登録画面を生成する。これら各種画面は、表示制御部３６２の制御により、表示部３３に表示される。更に、提示情報生成部３６８は、タイミング表示画面を表示して、運動、食事及び投薬のタイミングや、低血糖が生じたタイミングをマーカーで示す他、後述するカレンダー表示画面（総括画面）を表示して、低血糖が生じた日付を示す。
以下に、提示情報生成部３６８により生成される内容は、後に詳述する。
【００５２】
［実行画面の構成］
ここで、上記表示制御部３６２は、アプリケーション実行部３６Ｂによる情報管理アプリケーションの実行時に、当該アプリケーション実行部３６Ｂの処理結果に基づいて、以下に示す実行画面ＥＳ（ＥＳ１〜ＥＳ５）を表示部３３に表示させる。
以下、各実行画面ＥＳの構成及び動作について説明する。
【００５３】
［食事内容登録画面］
図８は、食事内容登録画面ＥＳ１の一例を示す図である。
食事内容登録画面ＥＳ１は、上記実行画面ＥＳに含まれる画面であり、使用者が選択した日付（デフォルトでは当日）にて摂取した食事の内容を登録及び表示する画面である。この食事内容登録画面ＥＳ１には、図８に示すように、画面上部及び画面下部にそれぞれ固定表示領域Ｆ１，Ｆ２が設定され、これらの間に可変表示領域Ｖ１が設定されている。
【００５４】
画面上部の固定表示領域Ｆ１の上段には、計時部３６４により計時されている現在時刻が設定される時刻表示領域Ｆ１１が配置されている。また、固定表示領域Ｆ１の下段における左側には、押下（入力）されるとメニュー画面（図示省略）に遷移するボタンＦ１２が配置され、右側には、押下されるとヘルプ画面（図示省略）に遷移するボタンＦ１３が配置されている。これらボタンＦ１２，Ｆ１３に挟まれた領域には、画面の内容を示すタイトルＦ１４が配置されている。
画面下部の固定表示領域Ｆ２の左右には、ボタンＦ２１，Ｆ２２が配置されている。これらボタンＦ２１，Ｆ２２は、画面を遷移するためのボタンである。
【００５５】
可変表示領域Ｖ１には、総摂取カロリー表示欄Ｖ１１と、タンパク質（Ｐ）、脂質（Ｆ）、炭水化物（Ｃ）の摂取割合を示す摂取割合表示欄Ｖ１２と、食事内容が表示される表示欄Ｖ１３と、食事の履歴が表示される表示欄Ｖ１４と、かんたん入力ボタンＶ１５、戻るボタンＶ１６と、が配置されている。
【００５６】
これらのうち、総摂取カロリー表示欄Ｖ１１には、当日の食事の総摂取カロリー数が円グラフの中心に設定される。また、摂取割合表示欄Ｖ１２には、当日の食事のうち、タンパク質（Ｐ）、脂質（Ｆ）、炭水化物（Ｃ）の摂取割合が棒グラフ形式で設定される。
更に、表示欄Ｖ１３には、当日のタンパク質（Ｐ）、脂質（Ｆ）、炭水化物（Ｃ）、糖質及び塩分のそれぞれの摂取量（ｇ）が設定される。
加えて、表示欄Ｖ１４には、当日の食事の履歴が設定される。このような食事の履歴としては、食事の開始時刻と、当該食事の摂取カロリー及び糖質量とが含まれる。
【００５７】
また、かんたん入力ボタンＶ１５が押下されると、図示を省略するが、食事の開始時刻、種別及び食事量（食事量の主観的な情報や、相対的な情報）を登録する画面が表示される。そして、当該画面にて、使用者が食事の種別（「食事」、「飲酒」及び「間食」等）を選択し、これらの食事の種別の量を設定する。これにより、食事におけるタンパク質、脂質、炭水化物、糖質及び塩分のそれぞれの摂取量と、食事の総カロリーと、が簡易的に算出される。なお、食事内容の分析は、外部のデータベース（外部機器に保持されたデータベース）を照会することにより行われてもよく、外部のサーバー（外部機器）を経由して実行されてもよい。
なお、戻るボタンＶ１６が入力されると、食事内容登録画面ＥＳ１が表示される前に表示されていた画面に遷移される。
【００５８】
［投薬内容登録画面］
図９は、投薬内容登録画面ＥＳ２の一例を示す図である。
投薬内容登録画面ＥＳ２は、上記実行画面ＥＳに含まれる画面であり、使用者に投薬内容を入力させる画面である。この投薬内容登録画面ＥＳ２は、図９に示すように上記固定表示領域Ｆ１，Ｆ２と、可変表示領域Ｖ２が設定されている。
【００５９】
可変表示領域Ｖ２には、投薬内容を登録させる画面であることを示すイメージ画像Ｖ２１と、予め担当医により定められた薬の投薬予定を示す服薬予定欄Ｖ２２と、インスリンの投薬時刻を入力する入力欄Ｖ２３と、インスリンが投薬された時間が表示される表示欄Ｖ２４と、ＯＫボタンＶ２５と、キャンセルボタンＶ２６と、が設けられている。
服薬予定欄Ｖ２２には、「とき」、「くすり」、及び、「量」の各項目が設定され、例えば、朝及び晩に「くすりＡ」を１錠及び「くすりＢ」を２ｍｇ服薬する旨の予定と、昼に「くすりＢ」を２ｍｇ服薬する旨の予定と、が設定されている。また、「とき」の項目には、当該予定に従って、「くすりＡ」及び「くすりＢ」を服薬した場合に使用者がチェックするチェック欄Ｖ２２１，Ｖ２２２，Ｖ２２３がそれぞれ朝、昼及び晩の項目ごとに設定されている。このチェック欄Ｖ２２１，Ｖ２２２，Ｖ２２３を使用者がタッチすると、例えば、チェック欄Ｖ２２１に示すように当該チェック欄Ｖ２２１の色が変化する。これにより、使用者は、当該チェック欄Ｖ２２１，Ｖ２２２，Ｖ２２３を認識することで、予定通りに服薬したか否かが容易に理解できる。
【００６０】
また、入力欄Ｖ２３には、インスリンを投薬した時刻、投薬量（単位）及び種類（例えば持続性か即効性かの種別）をそれぞれ選択可能な選択欄と、記録ボタンＶ２３１とが設定される。なお、投薬時刻を選択する選択欄には、現在時刻がデフォルト表示される。このような入力欄Ｖ２３のそれぞれの選択欄に使用者によって投薬内容が入力された状態にて、記録ボタンＶ２３１が押下されると、当該投薬内容が、表示欄Ｖ２４に追加される。
表示欄Ｖ２４は、当日のインスリンの投薬内容が表示されるテーブルである。この表示欄Ｖ２４には、上記入力欄Ｖ２３にて既に登録されたインスリンの投薬時刻及び投薬量（単位）が、それぞれの行に設定される。この他、入力欄Ｖ２３の各行には、設定された投薬内容を削除するためのボタンが設定されている。
更に、ＯＫボタンＶ２５を押下されると、チェック欄Ｖ２２１，Ｖ２２２，Ｖ２２３の選択状態（すなわち服薬内容）、及び、表示欄Ｖ２４に表示された投薬内容が確定し、上記情報取得部３６５が、これらの情報を記憶部３５に記憶させる。一方、キャンセルボタンＶ２６が押下されると、変更された服薬内容及び投薬内容がキャンセルされる。
【００６１】
［運動結果提示画面］
図１０は、運動結果提示画面ＥＳ３の一例を示す図である。
運動結果提示画面ＥＳ３は、上記実行画面ＥＳに含まれる画面であり、検出装置２から取得した生体情報及び体動情報に基づく運動の解析結果を提示するとともに、所定期間（本実施形態では、使用者により選択された日付）における運動及び食事のタイミングを提示する画面である。この運動結果提示画面ＥＳ３には、図１０に示すように、上記固定表示領域Ｆ１，Ｆ２と、当該固定表示領域Ｆ１，Ｆ２間に配置される可変表示領域Ｖ３と、が設定されている。
【００６２】
可変表示領域Ｖ３には、それぞれ選択された日付の情報を示す総運動時間表示領域Ｖ３１、歩数表示領域Ｖ３２、消費カロリー表示領域Ｖ３３、詳細運動時間表示領域Ｖ３４、タイミング表示領域Ｖ３５及び戻るボタンＶ３６が設定されている。
総運動時間表示領域Ｖ３１、歩数表示領域Ｖ３２及び消費カロリー表示領域Ｖ３３には、それぞれ、選択された日付の総運動時間、歩数及び消費カロリーが設定される。これらのうち、総運動時間表示領域Ｖ３１には、当該日付の総運動時間が円グラフの中心に設定され、当該円グラフには、当該総運動時間のうち「強い運動」、「適性ゾーンの運動」及び「軽い運動」のそれぞれの種別に分類される運動時間が設定される。
詳細運動時間表示領域Ｖ３４には、当該日付の上記種別ごとの運動時間が設定される。
【００６３】
タイミング表示領域Ｖ３５には、当該日付の運動期間、食事期間及び睡眠期間が、上記所定期間における時刻に応じて示されたタイムテーブルが設定される。なお、当該日付を示す上記日時情報が取得されている場合には、運動、食事、投薬のタイミングを示すマーク（行動実行時マーカー）、及び、低血糖症状が発生したタイミングを示すマーク（低血糖発生時マーカー）が、タイムテーブルにおいて当該日時情報に応じた時刻に設定される。
一方、戻るボタンＶ３６が押下されると、運動結果提示画面ＥＳ３の直前に表示されていた画面に戻る。
【００６４】
［タイミング表示画面］
図１１は、タイミング表示画面ＥＳ４の一例を示す図である。
タイミング表示画面ＥＳ４は、上記実行画面ＥＳに含まれる画面である。このタイミング表示画面ＥＳ４は、上記運動結果提示画面ＥＳ３と同様に、使用者により選択された日付の運動の解析結果を提示するとともに、運動、食事、投薬及び睡眠の期間と、低血糖症状が発生したタイミングとを提示する画面である。このタイミング表示画面ＥＳ４には、図１１に示すように、上記固定表示領域Ｆ１，Ｆ２と、当該固定表示領域Ｆ１，Ｆ２間に配置される可変表示領域Ｖ４と、が設定されている。
【００６５】
可変表示領域Ｖ４には、総運動時間表示領域Ｖ４１、歩数表示領域Ｖ４２、詳細運動時間表示領域Ｖ４３、タイミング表示領域Ｖ４４及び戻るボタンＶ４５が設定されている。
これらのうち、総運動時間表示領域Ｖ４１、歩数表示領域Ｖ４２及び詳細運動時間表示領域Ｖ４３には、上記運動結果提示画面ＥＳ３の総運動時間表示領域Ｖ３１、歩数表示領域Ｖ３２及び詳細運動時間表示領域Ｖ３４と同様の内容が表示される。
【００６６】
タイミング表示領域Ｖ４４には、上記タイミング表示領域Ｖ３５と同様に、０時から２４時までのタイムテーブルが設定されている。このタイムテーブルには、使用者により選択された日付の運動期間、食事期間及び睡眠期間が、当該タイムテーブルに設定された時刻に応じて設定される。この他、当該タイムテーブルには、運動、食事、投薬のタイミングを示すマーク（行動実行時マーカー）と、当該日付を示す上記日時情報が取得されている場合には、低血糖症状が発生したタイミングを示すマーク（低血糖発生時マーカー）とが、それぞれ対応する時刻に設定される。このようなタイミング表示領域Ｖ４４を確認することにより、低血糖症状が発生したタイミングより前の使用者の行動を容易に把握できる。
一方、戻るボタンＶ４５が押下されると、タイミング表示画面ＥＳ４の直前に表示されていた画面に戻る。
【００６７】
［総括画面］
図１２は、画面ＥＳ５の一例を示す図である。
総括画面ＥＳ５は、上記実行画面ＥＳに含まれる画面であり、当該総括画面ＥＳ５には、使用者が選択した「月」のカレンダーと、当該カレンダーにおいて低血糖症状が発生した日を示すマークとが設定される画面である。この総括画面ＥＳ５には、図１２に示すように、上記固定表示領域Ｆ１，Ｆ２と、当該固定表示領域Ｆ１，Ｆ２間に配置される可変表示領域Ｖ５と、が設定されている。なお、総括画面ＥＳ５における固定表示領域Ｆ１には、画面の内容を示すタイトルＦ１４の位置には、当該タイトルＦ１４に代えて、後述するメニュー表示領域Ｖ５２に設けられた各メニューに対応した画面の内容を示すタイトルが表示される。
【００６８】
可変表示領域Ｖ５には、ボタンＶ５１と、メニュー表示領域Ｖ５２と、表示領域ＣＳと、が設定されている。
ボタンＶ５１は、検出装置２と通信して、当該検出装置２から各種情報を取得するためのボタンである。
メニュー表示領域Ｖ５２には、表示領域ＣＳの表示内容を切り替えるための複数のボタンＶ５２１〜Ｖ５２６と、ログアウトボタンＶ５２７とが、設定されている。ボタンＶ５２１が入力されると、表示領域ＣＳの表示内容が、後述するカレンダーＣＬに切り替えられる。ボタンＶ５２２が入力されると、表示領域ＣＳの表示内容が、担当医からのメッセージを表示する画面に切り替えられる。ボタンＶ５２３が入力されると、表示領域ＣＳの表示内容が、使用者の目標及び計画を確認及び修正するための画面に切り替えられる。ボタンＶ５２４が入力されると、表示領域ＣＳの表示内容が、サーバーから取得される使用者の健康診断の結果を確認するための画面に切り替えられる。ボタンＶ５２５が入力されると、表示領域ＣＳの表示内容が、サーバーから取得される糖尿病情報サイトの画面に切り替えられる。ボタンＶ５２６が入力されると、表示領域ＣＳの表示内容が、各種設定処理を実行するための設定画面に切り替えられる。そして、ログアウトボタンＶ５２７が入力されると、総括画面ＥＳ５が終了される。
【００６９】
表示領域ＣＳに、図１２に示すカレンダーＣＬが設定された場合、総括画面ＥＳ５は、本発明のカレンダー表示画面となる。このカレンダーＣＬは、使用者によって選択された「月」に属する「日」が「週」毎に並んだカレンダーであり、表示領域ＣＳにおけるカレンダーＣＬの上側左方には、入力されると前の月のカレンダーＣＬに遷移するボタンＣＳ１が配置され、上側右方には、入力されると次の月のカレンダーＣＬに遷移するボタンＣＳ２が配置されている。また、これらボタンＣＳ１，ＣＳ２に挟まれた領域には、カレンダーＣＬの「月」を示す月表示領域ＣＳ３が配置されている。
カレンダーＣＬにおいて、現在日時に応じた日付を表す日付領域（例えば、７日）には、他の日付領域と区別するための表示ＣＬ１（例えば色）が設定されている。また、これら日付領域のうち、上記日時情報により示される日付領域、すなわち、低血糖症状が発生した日（例えば、３日及び６日）に応じた日付領域には、低血糖症状が生じたことを示す低血糖発生日マーカーＣＬ２が設定される。
このようなカレンダーＣＬを確認することにより、低血糖症状が発生した日を容易に認識できる。
一方、ログアウトボタンＶ５２７が押下されると、総括画面ＥＳ５の直前に表示されていた画面に戻る。
【００７０】
［実施形態の効果］
以上説明した実施形態に係る生体情報測定システム１によれば、以下の効果がある。
上記実施形態に係る生体情報測定システム１によれば、使用者により連続した２回のタップ操作及びボタン２１１の入力操作（所定の操作）が実行された際に、計時部２７４によって計時されている時刻を低血糖症状が発生したタイミングとして記憶部２６に記憶できるので、使用者は、連続した２回のタップ操作及びボタン２１１の入力操作を実行するだけで、低血糖症状が発生したタイミングを記録できる。従って、当該記録された時刻（日時情報）、及び、当該時刻の生体情報等に基づいて、低血糖症状が発生した原因を究明できる。
【００７１】
使用者によりそれぞれ異なる第１操作（連続した２回のタップ操作）及び第２操作（ボタン２１１の入力操作）を組み合わせた操作が実行されなければ、上記時刻を低血糖症状が発生したタイミングとして記録できないので、誤って上記時刻（日時情報）が記憶されることを抑制できる。
【００７２】
使用者により連続した２回のタップ操作及びボタン２１１の入力操作が実行された際に、上記時刻（日時情報）を低血糖症状が発生したタイミングとして記録するので、誤って上記時刻が記録されることを確実に抑制できる。
【００７３】
連続した２回のタップ操作が実行された際に、上記時刻を記憶させる発生タイミング記録画面ＳＣ５に遷移する「低血糖」が表記されたメニュー画面ＳＣ２が表示されるので、当該メニュー画面ＳＣ２の表示時にボタン２１１の入力操作を実行することで上記時刻（日時情報）を記憶できることを使用者に容易に認識させることができる。従って、記憶操作を行いやすくできる。
【００７４】
連続した２回のタップ操作が実行されると、複数の項目（「低血糖」、「ゾーン」、「セットアップ」）のうち、発生タイミング記録画面ＳＣ５に遷移する項目である「低血糖」が他の項目である「ゾーン」及び「セットアップ」に比べて上位に設定されたメニュー画面ＳＣ２を表示させるので、使用者は、当該メニュー画面ＳＣ２が表示された状態でボタン２１１の入力操作を実行すれば、上記時刻を記憶できる。従って、上記時刻を記録する操作を迅速に実行できる。
【００７５】
記憶制御部２７８が生体情報及び体動情報のそれぞれを記憶部２６に記憶させるので、生体情報検出部２２１により検出される生体情報だけでなく、体動情報検出部２２２により検出される体動情報に基づいて、低血糖症状が発生した原因を究明しやすくすることができる。
【００７６】
情報処理装置３が、上記時刻を示す時刻情報（日時情報）と、使用者により入力された使用者の食事、運動及び投薬の少なくともいずれかの実行時刻と、を記憶するので、当該記憶された低血糖症状が発生した時刻と、食事、運動、及び投薬の少なくともいずれかの実行時刻と、に基づいて、より詳細に低血糖症状が生じた原因を究明しやすくすることができる。
【００７７】
所定時間帯における時刻が時系列で並んだタイムテーブルにおいて、低血糖症状が生じた時刻情報に応じて低血糖発生時マーカーと、食事、運動、及び投薬等の実行時刻に応じて行動時マーカーと、が配置されたタイミング表示画面（タイミング表示領域Ｖ４４）が表示されるので、低血糖症状が発生した時刻、食事の実行時刻、運動の実行時刻及び投薬の実行時刻を使用者により把握させやすくすることができる。
【００７８】
所定期間における日付が時系列で並んだカレンダーにおいて、日時情報に含まれる日付に応じて低血糖発生日マーカーが配置されたカレンダーＣＬが設定された総括画面ＥＳ５が表示されるので、低血糖症状が発生した日を使用者に容易に認識させることができる。
【００７９】
本実施形態では、所定の入力操作（連続した２回のタップ操作及びボタン２１１の入力操作）を実行するだけで、現在時刻を低血糖症状が発生したタイミングとして記録できる。これにより、使用者は、例えば、メモを取るなどの面倒な行為を行うことなく、低血糖症状が発生したタイミングを記憶できる。
【００８０】
［実施形態の変形］
本発明は、上記実施形態に限定されるものではなく、本発明の目的を達成できる範囲での変形、改良等は本発明に含まれるものである。
上記実施形態では、計時部２７４は、現在日時を計時することとした。しかしながら、本発明は、これに限らない。例えば、計時部２７４は、現在時刻を計時するのみでもよい。この場合、検出部２２により検出された生体情報及び体動情報と、受信部２３により取得された位置情報と、記憶部２６に記憶された時刻情報を随時、情報処理装置３に送信すればよい。
【００８１】
上記実施形態では、使用者が連続した２回のタップ操作及びボタン２１１の入力操作のそれぞれ異なる操作を組み合わせた操作（所定の操作）を実行した際に、計時部２７４により計時されている時刻を低血糖症状が発生したタイミングとして記憶部２６に記憶させることとした。しかしながら、本発明は、これに限らない。例えば、所定の操作は、それぞれ異なる操作を組み合わせた操作でなくてもよい。具体的には、ボタン２１１とボタン２１２を交互に２回入力する、若しくは、タップ操作を連続で４回行う等の操作であってもよい。すなわち、上記所定の操作は、どのような操作であってもよい。
【００８２】
上記実施形態では、使用者により連続した２回のタップ操作が実行された後、ボタン２１１の入力操作が実行された際に、計時部２７４により計時されている時刻を低血糖症状が発生したタイミングとして記憶部２６に記憶することとした。しかしながら、本発明は、これに限らない。例えば、ボタン２１１の入力操作が実行された後、連続した２回のタップ操作がなされた際に計時部２７４により計時されている時刻を低血糖症状が発生したタイミングとして記憶部２６に記憶してもよい。
【００８３】
上記実施形態では、使用者により連続した２回のタップ操作が実行されると、表示部２４１に発生タイミング記録画面ＳＣ５に遷移する「低血糖」が表記されたメニュー画面ＳＣ２が表示されている間に、ボタン２１１の入力操作が実行されると、計時部２７４により計時されている時刻を低血糖症状が発生したタイミングとして記憶部２６に記憶することとした。しかしながら、本発明は、これに限らない。例えば、使用者により連続した２回のタップ操作が実行された際に、発生タイミング記録画面ＳＣ５を表示するようにしてもよい。これによれば、連続した２回のタップ操作が実行された後に、ボタン２１１を１回入力するのみで、計時部２７４により計時されている時刻を低血糖症状が発生したタイミングとして記憶部２６に記憶できる。
【００８４】
上記実施形態では、使用者による連続した２回のタップ操作が実行された際に、他の項目である「ゾーン」及び「セットアップ」が表記されたメニュー画面ＳＣ３，ＳＣ４より上位に設定された「低血糖」が表記されたメニュー画面ＳＣ２が表示されることとした。しかしながら、本発明は、これに限らない。例えば、１つのメニュー画面に複数の項目が列挙される場合であっても、複数の項目のうち「低血糖」が上位に設定されていればよい。すなわち、メニュー画面は、１つであってもよい。
また、上記実施形態において、「ゾーン」及び「セットアップ」が表記されたメニュー画面ＳＣ３，ＳＣ４が「低血糖」が表記されたメニュー画面ＳＣ２より上位に設定されていてもよい。これによれば、例えば、低血糖症状を生じない使用者であれば、当該使用者の利便性を高めることができる。
【００８５】
上記実施形態では、検出部２２は、体動情報検出部２２２を備えることとした。しかしながら、本発明は、これに限らない。例えば、検出部２２は、生体情報検出部２２１のみを備えることとしてもよい。
上記実施形態では、表示部２４１を設けることとした。しかしながら、本発明は、これに限らない。例えば、表示部２４１を設けなくてもよい。この場合、使用者により連続した２回のタップ操作及びボタン２１１の入力操作が実行された際に、計時部２７４により計時されている時刻を低血糖症状が発生したタイミングとして記憶部２６に記憶すればよい。
【００８６】
上記実施形態では、情報処理装置３は、提示情報生成部３６８によりタイミング表示画面ＥＳ４が生成され、表示制御部３６２により表示部３３に表示させることとした。しかしながら、本発明は、これに限らない。例えば、提示情報生成部３６８は、タイミング表示画面ＥＳ４を生成しなくてもよい。すなわち、上記実施形態では、低血糖症状が発生したタイミングとして記憶された時刻と、食事、運動及び投薬の実行時刻のいずれかと、が記憶されていればよい。
【００８７】
上記実施形態では、情報処理装置３は、提示情報生成部３６８によりカレンダー表示画面（カレンダーＣＬが設定された総括画面ＥＳ５）が生成され、表示制御部３６２により表示部３３に表示させることとした。しかしながら、本発明は、これに限らない。例えば、提示情報生成部３６８は、総括画面ＥＳ５を生成しなくてもよい。
また、提示情報生成部３６８がタイミング表示画面ＥＳ４及び総括画面ＥＳ５を生成しない場合、当該提示情報生成部３６８に相当する情報生成部を備えたサーバーと情報処理装置３が接続され、当該サーバーにより生成された上記画面ＥＳ４，ＥＳ５を取得し、表示部３３に表示させるようにしてもよい。
更に、上記サーバーにより生成された上記画面ＥＳ４，ＥＳ５は、情報処理装置３に限らず、例えば、他の情報処理装置により取得され、当該他の情報処理装置の表示部に表示されるようにしてもよい。
【００８８】
上記実施形態において、制御部２７の運動判定部２７６は、検出装置２に設けられることとした。しかしながら、本発明は、これに限らない。例えば、運動判定部２７６は、情報処理装置３の制御部３６に設けられることとしてもよい。更に、運動判定部２７６と同様の処理を解析部３６７が実行するようにしてもよい。
【００８９】
上記実施形態では、使用者による連続した２回のタップ操作及びボタン２１１の入力操作が実行された際に、単に、計時部２７４に計時されている時刻を低血糖症状が発生したタイミングとして記憶部２６に記憶することとした。しかしながら、本発明は、これに限らない。例えば、当該時刻が記憶部２６に記憶された際に、音声出力部２４２から所定の音声が出力されるようにしてもよいし、振動部２４３が振動するようにしてもよい。
【００９０】
上記実施形態では、検出装置２のタイミング記録処理において、ステップＳ１６を実行し、日時情報を情報処理装置３に送信することとした。しかしながら、本発明は、これに限らない。例えば、上記ステップＳ１６を実行しなくてもよい。この場合、検出装置２の記憶部２６に記憶された日時情報を当該検出装置２がクレードル等に接続された際に、当該日時情報及び生体情報等を取得するようにすればよい。
【００９１】
上記実施形態では、運動判定部２７６は、脈拍数の範囲が８０回／分以上〜１００回／分未満の運動は、「弱い運動」として判定され、脈拍数の範囲が１００回／分以上〜１２０回／分未満の運動は、「適正ゾーンの運動」として判定され、脈拍数の範囲が１２０回／分以上１４０回／分未満の運動は、「強い運動」として判定することとした。しかしながら、本発明は、これに限らない。すなわち、上記脈拍数の範囲は、適宜設定できる。例えば、使用者の運動の経験等によって、上記脈拍数の範囲を変更してもよい。
【符号の説明】
【００９２】
１…生体情報測定システム、２…生体情報検出装置、２１…操作部（入力部）、２１１…ボタン、２２１…生体情報検出部、２２２…体動情報検出部（タップ操作検出部）、２４…報知部、２４１…表示部、２５…通信部（時刻情報送信部）、２６…記憶部、２７…制御部、２７２…報知制御部（表示制御部）、２７４…計時部、２７８…記憶制御部、３…情報処理装置、３３…表示部（処理装置側表示部）、３５…記憶部（時刻記憶部）、３６…制御部、３６５…情報取得部、３６８…提示情報生成部（タイミング表示画面生成部、カレンダー表示画面生成部）、ＳＣ２…メニュー画面（設定画面）、ＳＣ５…発生タイミング記録画面、ＣＬ…カレンダー、ＣＬ２…低血糖発生日マーカー、ＣＳ…表示領域、ＥＳ１…食事内容登録画面（入力画面）、ＥＳ２…投薬内容登録画面（入力画面）、ＥＳ３…運動結果提示画面（入力画面、タイミング表示画面）、ＥＳ４…タイミング表示画面、ＥＳ５…総括画面（カレンダー表示画面）。
【図１】
2016214733.tif 000003
【図２】
2016214733.tif 000004
【図３】
2016214733.tif 000005
【図４】
2016214733.tif 000006
【図５】
2016214733.tif 000007
【図６】
2016214733.tif 000008
【図７】
2016214733.tif 000009
【図８】
2016214733.tif 000010
【図９】
2016214733.tif 000011
【図１０】
2016214733.tif 000012
【図１１】
2016214733.tif 000013
【図１２】
2016214733.tif 000014